(57)【要約】【課題】ユーザによる楽曲作成時に、ユーザに楽曲作成の操作の実感を与えることが可能な電子機器を提供する。【解決手段】この携帯電話機１００（電子機器）は、ユーザによる操作により回転可能な回転板３１と、ユーザによる回転板３１の状態を検出する静電型エンコーダ３７および感圧センサ３３ａと、静電型エンコーダ３７および感圧センサ３３ａが検出した回転板３１の状態に基づいて、ユーザに触感を付与する励磁コイル３９と、ユーザによる回転板３１の操作に基づいて、励磁コイル３９を用いてユーザに触感を付与するとともに、ユーザによる楽曲を作成可能に構成されたメイン制御部１８および制御部２１とを備える。【選択図】図３
2011100021.tif 000002
【特許請求の範囲】
【請求項１】
ユーザによる操作により回転可能な回転部材と、
前記ユーザによる前記回転部材の状態を検出する検出部と、
前記検出部が検出した前記回転部材の状態に基づいて、前記ユーザに触感を付与する触感付与部と、
前記ユーザによる前記回転部材の操作に基づいて、前記触感付与部を用いて前記ユーザに触感を付与するとともに、前記ユーザによる楽曲を作成可能に構成された制御手段とを備える、電子機器。
【請求項２】
前記回転部材は、磁性材料からなり、
前記検出部は、前記回転部材が回転された際の回転角度を検出する角度検出部を含み、
前記触感付与部は、励磁コイルを含み、
前記回転部材が回転可能な回転角度領域のうち前記励磁コイルに通電される第１回転角度領域と、前記回転部材が回転可能な回転角度領域のうち前記第１回転角度領域以外の前記励磁コイルに通電されない第２回転角度領域とが交互に繰り返されるように設定されており、
前記制御手段は、前記ユーザによる楽曲作成時における前記回転部材の回転操作中に、前記第１回転角度領域で前記励磁コイルに通電することによって、前記回転部材が前記励磁コイルによる電磁力により吸引されて、前記回転部材の回転方向に抗する抵抗力が付与されるとともに、前記第２回転角度領域で前記励磁コイルに通電しないことによって、前記励磁コイルの電磁力による前記回転部材への吸引が解除されて、前記回転部材の回転方向に抗する抵抗力が解除されることによって、前記ユーザに触感を付与する制御を行うように構成されている、請求項１に記載の電子機器。
【請求項３】
前記楽曲は、少なくとも前記楽曲を構成する音の高さ、音の長さ、音量および前記楽曲の速さを含み、
前記回転部材は、前記ユーザによる回転操作に加えて押下操作が可能なように構成されており、
前記検出部は、前記回転部材が回転された際の回転角度を検出する角度検出部と、前記回転部材への前記ユーザによる前記押下操作を検出する押下検出部とを含み、
前記制御手段は、前記角度検出部において検出された前記回転部材の回転角度に基づいて、前記音の高さ、前記音の長さ、前記音量または前記楽曲の速さのいずれかの程度を選択するとともに、前記押下検出部において検出された前記回転部材への前記ユーザによる前記押下操作に基づいて、選択された前記音の高さ、前記音の長さ、前記音量または前記楽曲の速さの程度を前記押下操作が行われた際の程度に決定する制御を行うように構成されている、請求項１または２に記載の電子機器。
【請求項４】
前記楽曲は、少なくとも前記楽曲を構成する音の高さおよび音の長さを含み、
前記回転部材は、前記ユーザによる回転操作に加えて押下操作が可能なように構成されており、
前記検出部は、前記回転部材が回転された際の回転角度を検出する角度検出部と、前記回転部材への前記ユーザによる前記押下操作と前記押下操作の際の押下の強度とを検出する押下検出部とを含み、
前記制御手段は、前記ユーザにより前記回転部材を前記回転操作しながら前記押下操作する操作が行われた場合に、前記角度検出部において検出された前記回転部材の回転角度に基づいて、前記音の高さまたは前記音の長さのいずれか一方の程度を選択するとともに、前記押下検出部において検出された前記押下の強度に基づいて、前記音の高さまたは前記音の長さのいずれか他方の程度を選択する制御を行うとともに、前記回転部材への前記ユーザによる前記押下操作に基づいて、前記音の高さの程度と前記音の長さの程度とを前記押下操作が行われた際の程度に決定する制御を行うように構成されている、請求項１または２に記載の電子機器。
【請求項５】
前記楽曲は、少なくとも前記楽曲を構成する前記楽曲の速さを含み、
前記回転部材は、前記ユーザによる回転操作に加えて押下操作が可能なように構成されており、
前記検出部は、前記回転部材が回転された際の角速度を検出する角速度検出部と、前記回転部材への前記ユーザによる前記押下操作を検出する押下検出部とを含み、
前記制御手段は、前記角速度検出部において検出された前記回転部材の角速度に基づいて、前記楽曲の速さの程度を選択するとともに、前記押下検出部において検出された前記回転部材への前記ユーザによる前記押下操作に基づいて、前記楽曲の速さの程度を前記押下操作が行われた際の程度に決定する制御を行うように構成されている、請求項１または２に記載の電子機器。
【請求項６】
前記楽曲は、少なくとも前記楽曲を構成する音の高さ、音の長さおよび音量を含み、
前記回転部材は、前記ユーザによる回転操作に加えて押下操作が可能なように構成されており、
前記検出部は、前記回転部材への前記ユーザによる前記押下操作を検出する押下検出部を含み、
前記制御手段は、前記回転部材への前記ユーザによる長押しの前記押下操作または連続的な複数の前記押下操作の少なくとも一方に基づいて、程度が選択および決定される前記音の高さ、前記音の長さおよび前記音量を切り替える制御を行うように構成されている、請求項１〜５のいずれか１項に記載の電子機器。
【請求項７】
前記制御手段は、前記長押しの押下操作に基づいて、前記音の高さを前記音の長さまたは前記音量のいずれか一方に切り替える制御を行い、前記連続的な複数の押下操作に基づいて、前記音の高さを前記音の長さまたは前記音量のいずれか他方に切り替える制御を行うように構成されており、前記長押しの押下操作に基づいて、前記音の長さを前記音量または前記音の高さのいずれか一方に切り替える制御を行い、前記連続的な複数の押下操作に基づいて、前記音の長さを前記音量または前記音の高さのいずれか他方に切り替える制御を行うように構成されているとともに、前記長押しの押下操作に基づいて、前記音量を前記音の高さまたは前記音の長さのいずれか一方に切り替える制御を行い、前記連続的な複数の押下操作に基づいて、前記音量を前記音の高さまたは前記音の長さのいずれか他方に切り替える制御を行うように構成されている、請求項６に記載の電子機器。
【請求項８】
ユーザによる操作により回転可能な回転部材と、前記ユーザによる前記回転部材の状態を検出する検出部と、前記検出部が検出した前記回転部材の状態に基づいて、前記ユーザに触感を付与する触感付与部と、前記ユーザによる前記回転部材の操作に基づいて、前記触感付与部を用いて前記ユーザに触感を付与する第１制御部とを含む回転入力装置と、
前記ユーザによる前記回転入力装置の回転部材の操作に基づいて、前記ユーザによる楽曲を作成可能に構成された第２制御部とを備える、電子機器。
【請求項９】
ユーザによる操作により回転可能な回転部材と、
前記ユーザによる前記回転部材の状態を検出する検出部と、
前記検出部が検出した前記回転部材の状態に基づいて、前記ユーザに触感を付与する触感付与部と、
前記ユーザによる前記回転部材の操作に基づいて、前記触感付与部を用いて前記ユーザに触感を付与するとともに、前記ユーザによる楽曲を作成可能に構成された制御手段とを備える、携帯機器。
【発明の詳細な説明】
【技術分野】
【０００１】
この発明は、電子機器および携帯機器に関し、特に、ユーザによる楽曲を作成可能に構成された電子機器および携帯機器に関する。
【背景技術】
【０００２】
従来、ユーザによる楽曲を作成可能に構成された電子機器および携帯機器が知られている（たとえば、特許文献１〜４参照）。
【０００３】
上記特許文献１には、ユーザによって回転されるとともに、回転を検出するジョグディスク（回転部材）と、ジョグディスクの表面の接触を検出する接触センサ（検出部）と、ジョグディスクの表面の下部に矢印の形状になるように複数個配置されたＬＥＤと、ソフトフェアを用いて異なる楽器の楽曲を生成可能なＤＳＰ（制御部）とを備える携帯用プレーヤが開示されている。この携帯用プレーヤのジョグディスクは、楽器が選択されるとともに、ユーザによってジョグディスクの表面が叩かれると、ＤＳＰによって選択された楽器の楽曲が生成されるように構成されている。また、携帯用プレーヤは、複数のＬＥＤによって形成された矢印の向きと、複数のＬＥＤを順に点灯する際の時間間隔とを変化させることによって、ユーザにジョグディスクの次の操作に関する回転方向と回転速度とを通知することが可能なように構成されている。
【０００４】
また、上記特許文献２には、ユーザによって回転されるとともに、回転を検出するロータリーエンコーダ（回転部材）と、音の長さおよび音の高さが設定される際にユーザに押下されるキースイッチと、音の長さおよび音の高さを設定可能なＣＰＵ（制御部）と、楽曲に関する画像を表示可能な表示部とを備える電子楽器が開示されている。この電子楽器の制御部は、音の長さが設定される際に、ロータリーエンコーダが時計回りに回転されると音の長さを長くする一方、ロータリーエンコーダが反時計回りに回転されると音の長さを短くするように構成されている。また、電子楽器の制御部は、音の高さが設定される際に、ロータリーエンコーダが時計回りに回転されると音の高さを高くする一方、ロータリーエンコーダが反時計回りに回転されると音の高さを低くするように構成されている。
【０００５】
また、上記特許文献３には、ユーザによって演奏されるための鍵盤と、ユーザによって回転されるとともに、回転を検出するベンドホイール（回転部材）と、ベンドホイールを元の位置に戻すための復帰バネと、音の高さおよび楽曲の速さ（テンポ）などを設定可能なＣＰＵ（制御部）とを備える電子鍵盤楽器が開示されている。この電子鍵盤楽器は、ユーザが鍵盤によって演奏している最中に、ユーザによってベンドホイールが回転されることによって、音の高さを高くするかまたは低くすることが可能であるように構成されている。また、電子鍵盤楽器は、ユーザが鍵盤を用いて演奏している最中に、ユーザによってベンドホイールが回転されることによって、楽曲の速さを速くするかまたは遅くすることが可能であるように構成されている。
【０００６】
また、上記特許文献４には、音楽コンテンツが蓄積されたＨＤＤ（Ｈａｒｄ  Ｄｉｓｋ  Ｄｒｉｖｅ）と、ユーザによって回転されるとともに、回転を検出する操作ダイヤル（回転部材）と、ユーザによる回転に基づいてテンポを設定し、設定されたテンポに略等しいテンポを有する音楽コンテンツをＨＤＤから取得して再生する制御部と、設定されたテンポを表示可能なＬＣＤとを備える再生装置が開示されている。
【先行技術文献】
【特許文献】
【０００７】
【特許文献１】特表２００８−５１５００９号公報
【特許文献２】特開平１０−２６８８６２号公報
【特許文献３】実開平５−２００９３号公報
【特許文献４】特開２００７−１６４９３２号公報
【発明の概要】
【発明が解決しようとする課題】
【０００８】
しかしながら、上記特許文献１に開示された携帯用プレーヤでは、ユーザは、操作後の操作の結果に基づいて生成された音などからしか携帯用プレーヤに入力が行われたか否かを確認することができない場合があると考えられる。このため、ユーザによる楽曲作成時に、ユーザの操作に基づいて携帯用プレーヤへの入力が行われているという感覚（楽曲作成の操作の実感）をユーザに明確に与えることが困難であるという問題点がある。
【０００９】
また、上記特許文献２に開示された電子楽器では、ユーザは、操作後の操作の結果に基づいて表示部に表示された画像などからしか電子楽器に入力が行われたか否かを確認することができない場合があると考えられる。このため、ユーザによる楽曲作成時に、ユーザの操作に基づいて電子楽器への入力が行われているという感覚（楽曲作成の操作の実感）をユーザに明確に与えることが困難であるという問題点がある。
【００１０】
また、上記特許文献３に開示された電子鍵盤楽器では、ユーザのベンドホイールへの操作による電子鍵盤楽器への入力を復帰バネによってユーザに直接的に知らせることが可能であると考えられる一方、復帰バネを用いているため、ユーザがベンドホイールを回転させ続ける状態では、ユーザは常に復帰バネによる触感を受け続けると考えられる。このため、ユーザによる楽曲作成時における回転部材の操作中に、回転部材の状態（回転角度などの状態）に関係なくユーザに触感が付与され続けるため、操作の程度をユーザに知らせることが困難な場合があると考えられる。したがって、ユーザによる楽曲作成時に、ユーザの操作に基づいて電子楽器への入力が行われているという感覚（楽曲作成の操作の実感）をユーザに明確に与えることが困難であるという問題点がある。
【００１１】
また、上記特許文献４に開示された再生装置では、ユーザは、操作後の操作の結果に基づいてＬＣＤに表示されたテンポなどからしか再生装置に入力が行われたか否かを確認することができない場合があると考えられる。このため、上記特許文献４に開示された再生装置を用いて楽曲を作成可能なように構成した場合であっても、ユーザによる楽曲作成時に、ユーザの操作に基づいて再生装置への入力が行われているという感覚（楽曲作成の操作の実感）をユーザに明確に与えることが困難であるという問題点がある。
【００１２】
この発明は、上記のような課題を解決するためになされたものであり、この発明の１つの目的は、ユーザによる楽曲作成時に、ユーザに楽曲作成の操作の実感を与えることが可能な電子機器および携帯機器を提供することである。
【課題を解決するための手段および発明の効果】
【００１３】
この発明の第１の局面による電子機器は、ユーザによる操作により回転可能な回転部材と、ユーザによる回転部材の状態を検出する検出部と、検出部が検出した回転部材の状態に基づいて、ユーザに触感を付与する触感付与部と、ユーザによる回転部材の操作に基づいて、触感付与部を用いてユーザに触感を付与するとともに、ユーザによる楽曲を作成可能に構成された制御手段とを備える。なお、「楽曲を作成」には、すでに作成された楽曲を編曲する作業も含まれる。
【００１４】
この発明の第１の局面による電子機器では、上記のように、制御手段を、検出部が検出したユーザによる回転操作による回転部材の状態に基づいて、触感付与部を用いてユーザに触感を付与するとともに、ユーザによる楽曲を作成するように構成することによって、ユーザは、楽曲作成時に、回転部材の操作とともに回転部材側から回転部材を把持する指（手）に触感を受けることができるので、回転部材への操作の結果だけでなく回転部材を操作することによる触感からも、ユーザは電子機器に入力が行われたか否かおよび操作の程度を確認することができる。これにより、ユーザによる楽曲作成時に、ユーザに楽曲作成の操作の実感を与えることができる。
【００１５】
上記第１の局面による電子機器において、好ましくは、回転部材は、磁性材料からなり、検出部は、回転部材が回転された際の回転角度を検出する角度検出部を含み、触感付与部は、励磁コイルを含み、回転部材が回転可能な回転角度領域のうち励磁コイルに通電される第１回転角度領域と、回転部材が回転可能な回転角度領域のうち第１回転角度領域以外の励磁コイルに通電されない第２回転角度領域とが交互に繰り返されるように設定されており、制御手段は、ユーザによる楽曲作成時における回転部材の回転操作中に、第１回転角度領域で励磁コイルに通電することによって、回転部材が励磁コイルによる電磁力により吸引されて、回転部材の回転方向に抗する抵抗力が付与されるとともに、第２回転角度領域で励磁コイルに通電しないことによって、励磁コイルの電磁力による回転部材への吸引が解除されて、回転部材の回転方向に抗する抵抗力が解除されることによって、ユーザに触感を付与する制御を行うように構成されている。このように構成すれば、ユーザは、楽曲作成時における回転部材の回転操作中に、回転部材の回転方向に抗する抵抗力の付与および解除が交互に繰り返されることにより、抵抗力の付与時の回転方向への抵抗感と抵抗力の解除時の回転方向への脱抵抗感とが繰り返されることにより生じる明確な触感を受けることができる。これにより、ユーザは、楽曲作成時に楽曲作成の操作の実感をより明確に得ることができる。
【００１６】
上記第１の局面による電子機器において、好ましくは、楽曲は、少なくとも楽曲を構成する音の高さ、音の長さ、音量および楽曲の速さを含み、回転部材は、ユーザによる回転操作に加えて押下操作が可能なように構成されており、検出部は、回転部材が回転された際の回転角度を検出する角度検出部と、回転部材へのユーザによる押下操作を検出する押下検出部とを含み、制御手段は、角度検出部において検出された回転部材の回転角度に基づいて、音の高さ、音の長さ、音量または楽曲の速さのいずれかの程度を選択するとともに、押下検出部において検出された回転部材へのユーザによる押下操作に基づいて、選択された音の高さ、音の長さ、音量または楽曲の速さの程度を押下操作が行われた際の程度に決定する制御を行うように構成されている。このように構成すれば、ユーザは、回転操作に基づく回転角度と押下操作とによって、楽曲を構成する音の高さ、音の長さ、音量および楽曲の速さを調整することができる。これにより、ユーザの回転操作と押下操作に基づいて、楽曲作成の操作の実感を得ながら調整された音の高さ、音の長さ、音量および楽曲の速さに基づいた楽曲を作成することができる。また、ユーザは、回転部材を操作するだけで楽曲作成の操作の実感を得ながら楽曲を作成することができるので、キーボードなどの楽器操作に不慣れなユーザであっても容易に楽曲を作成することができる。
【００１７】
上記第１の局面による電子機器において、好ましくは、楽曲は、少なくとも楽曲を構成する音の高さおよび音の長さを含み、回転部材は、ユーザによる回転操作に加えて押下操作が可能なように構成されており、検出部は、回転部材が回転された際の回転角度を検出する角度検出部と、回転部材へのユーザによる押下操作と押下操作の際の押下の強度とを検出する押下検出部とを含み、制御手段は、ユーザにより回転部材を回転操作しながら押下操作する操作が行われた場合に、角度検出部において検出された回転部材の回転角度に基づいて、音の高さまたは音の長さのいずれか一方の程度を選択するとともに、押下検出部において検出された押下の強度に基づいて、音の高さまたは音の長さのいずれか他方の程度を選択する制御を行うとともに、回転部材へのユーザによる押下操作に基づいて、音の高さの程度と音の長さの程度とを押下操作が行われた際の程度に決定する制御を行うように構成されている。このように構成すれば、ユーザは、１回の回転操作と押下操作とによって、楽曲を構成する音の高さと音の長さとを同時に調整することができる。これにより、１回の回転操作と押下操作によって音の高さまたは音の長さの一方のみが調整される場合と比べて、ユーザは迅速に音の高さおよび音の長さを調整することができる。
【００１８】
上記第１の局面による電子機器において、好ましくは、楽曲は、少なくとも楽曲を構成する楽曲の速さを含み、回転部材は、ユーザによる回転操作に加えて押下操作が可能なように構成されており、検出部は、回転部材が回転された際の角速度を検出する角速度検出部と、回転部材へのユーザによる押下操作を検出する押下検出部とを含み、制御手段は、角速度検出部において検出された回転部材の角速度に基づいて、楽曲の速さの程度を選択するとともに、押下検出部において検出された回転部材へのユーザによる押下操作に基づいて、楽曲の速さの程度を押下操作が行われた際の程度に決定する制御を行うように構成されている。このように構成すれば、ユーザは、回転操作に基づく角速度と押下操作とによって、楽曲作成の操作の実感を得ながら楽曲の速さを調整することができる。また、回転操作に基づく角速度に基づいて楽曲の速さの程度が選択されることにより、回転部材の回転速度と楽曲の速さとを対応させることができる。これにより、ユーザは、より感覚的に楽曲の速さの程度を選択することができる。
【００１９】
上記第１の局面による電子機器において、好ましくは、楽曲は、少なくとも楽曲を構成する音の高さ、音の長さおよび音量を含み、回転部材は、ユーザによる回転操作に加えて押下操作が可能なように構成されており、検出部は、回転部材へのユーザによる押下操作を検出する押下検出部を含み、制御手段は、回転部材へのユーザによる長押しの押下操作または連続的な複数の押下操作の少なくとも一方に基づいて、程度が選択および決定される音の高さ、音の長さおよび音量を切り替える制御を行うように構成されている。このように構成すれば、ユーザは、回転部材を長押しまたは連続的に複数回押下することによって、程度が選択および決定される音の高さ、音の長さまたは音量を容易に選択的に切り替えることができるので、程度が選択および決定される音の高さ、音の長さおよび音量を切り替えるための操作を行う際に他のキーなどを操作する必要がない。これにより、ユーザは程度が選択および決定される音の高さ、音の長さまたは音量を選択的に切り替えるための操作を簡素化することができる。
【００２０】
この場合、好ましくは、制御手段は、長押しの押下操作に基づいて、音の高さを音の長さまたは音量のいずれか一方に切り替える制御を行い、連続的な複数の押下操作に基づいて、音の高さを音の長さまたは音量のいずれか他方に切り替える制御を行うように構成されており、長押しの押下操作に基づいて、音の長さを音量または音の高さのいずれか一方に切り替える制御を行い、連続的な複数の押下操作に基づいて、音の長さを音量または音の高さのいずれか他方に切り替える制御を行うように構成されているとともに、長押しの押下操作に基づいて、音量を音の高さまたは音の長さのいずれか一方に切り替える制御を行い、連続的な複数の押下操作に基づいて、音量を音の高さまたは音の長さのいずれか他方に切り替える制御を行うように構成されている。このように構成すれば、ユーザは、回転部材を長押しすることと連続的に複数回押下することとによって切り替え後の内容（切り替え先）を異ならせることができるので、より容易に、ユーザは程度が選択および決定される音の高さ、音の長さまたは音量を選択的に切り替えることができる。
【００２１】
この発明の第２の局面による電子機器を用いた電子機器は、ユーザによる操作により回転可能な回転部材と、ユーザによる回転部材の状態を検出する検出部と、検出部が検出した回転部材の状態に基づいて、ユーザに触感を付与する触感付与部と、ユーザによる回転部材の操作に基づいて、触感付与部を用いてユーザに触感を付与する第１制御部とを含む回転入力装置と、ユーザによる回転入力装置の回転部材の操作に基づいて、ユーザによる楽曲を作成可能に構成された第２制御部とを備える。
【００２２】
この発明の第２の局面による電子機器では、上記のように、回転入力装置の第１制御部を、検出部が検出したユーザによる回転操作による回転部材の状態に基づいて、触感付与部を用いてユーザに触感を付与するように構成するとともに、第２制御部を、検出部が検出したユーザによる回転操作による回転部材の状態に基づいて、ユーザによる楽曲を作成するように構成することによって、ユーザは、楽曲作成時に、回転部材の操作とともに回転部材側から回転部材を把持する指（手）に触感を受けることができるので、回転部材への操作の結果だけでなく回転部材を操作することによる触感からも、ユーザは電子機器に入力が行われたか否かおよび操作の程度を確認することができる。これにより、ユーザによる楽曲作成時に、ユーザに楽曲作成の操作の実感を与えることができる。また、回転入力装置の第１制御部によって、ユーザに触感を付与し、第２制御部によって、ユーザによる楽曲を作成することによって、第１制御部および第２制御部を１つの制御部に統合する場合と比べて、第１制御部および第２制御部に掛かる負荷を軽減することができる。
【００２３】
この発明の第３の局面による携帯機器は、ユーザによる操作により回転可能な回転部材と、ユーザによる回転部材の状態を検出する検出部と、検出部が検出した回転部材の状態に基づいて、ユーザに触感を付与する触感付与部と、ユーザによる回転部材の操作に基づいて、触感付与部を用いてユーザに触感を付与するとともに、ユーザによる楽曲を作成可能に構成された制御手段とを備える。
【００２４】
この発明の第３の局面による携帯機器では、上記のように、制御手段を、検出部が検出したユーザによる回転操作による回転部材の状態に基づいて、触感付与部を用いてユーザに触感を付与するとともに、ユーザによる楽曲を作成するように構成することによって、ユーザは、楽曲作成時に、回転部材の操作とともに回転部材側から回転部材を把持する指（手）に触感を受けることができるので、回転部材を操作することによる触感と回転部材への操作の結果とから、ユーザは電子機器に入力が行われたか否かおよび操作の程度を確認することができる。これにより、ユーザによる楽曲作成時に、ユーザに楽曲作成の操作の実感を与えることができる。
【図面の簡単な説明】
【００２５】
【図１】本発明の第１実施形態による携帯電話機をスライドさせる前の構成を示した図である。
【図２】本発明の第１実施形態による携帯電話機をスライドさせた後の構成を示した図である。
【図３】本発明の第１実施形態による携帯電話機の構成を示したブロック図である。
【図４】本発明の第１実施形態による携帯電話機の音の高さ調整モードと、音の長さ調整モードと、音量調整モードとの切り替える際の押下操作の関係を示した図である。
【図５】本発明の第１実施形態による携帯電話機の回転入力装置の構成を示した斜視図である。
【図６】本発明の第１実施形態による携帯電話機の回転入力装置の構成を示した分解斜視図である。
【図７】本発明の第１実施形態による携帯電話機の励磁コイルへの印加電圧と回転板の回転角度との関係を示した図である。
【図８】本発明の第１実施形態による携帯電話機の楽曲作成時の音の高さ調整モードの制御フローを示した図である。
【図９】本発明の第１実施形態による携帯電話機に設けられた音の高さ調整モードにおいて、表示画面部に五線譜が表示されている様子を示した図である。
【図１０】本発明の第１実施形態による携帯電話機に設けられた音の高さ調整モードにおいて、音の高さと回転板の回転角度との関係を示した図である。
【図１１】本発明の第１実施形態による携帯電話機に設けられた音の高さ調整モードにおいて、音の高さが調整される際の音符が表示されている様子を示した図である。
【図１２】本発明の第１実施形態による携帯電話機に設けられた音の高さ調整モードにおいて、４つの音符の高さが調整された様子を示した図である。
【図１３】本発明の第１実施形態による携帯電話機の楽曲作成時の音の長さ調整モードの制御フローを示した図である。
【図１４】本発明の第１実施形態による携帯電話機に設けられた音の長さ調整モードにおいて、４つの音符が表示されている様子を示した図である。
【図１５】本発明の第１実施形態による携帯電話機に設けられた音の長さ調整モードにおいて、音の長さと回転板の回転角度との関係を示した図である。
【図１６】本発明の第１実施形態による携帯電話機に設けられた音の長さ調整モードにおいて、選択された左端の音符の長さが調整される際の様子を示した図である。
【図１７】本発明の第１実施形態による携帯電話機に設けられた音の長さ調整モードにおいて、４つの音符の音の長さが調整された様子を示した図である。
【図１８】本発明の第１実施形態による携帯電話機の楽曲作成時の音量調整モードの制御フローを示した図である。
【図１９】本発明の第１実施形態による携帯電話機に設けられた音量調整モードにおいて、１小節分の音符が表示されている様子を示した図である。
【図２０】本発明の第１実施形態による携帯電話機に設けられた音量調整モードにおいて、音量と回転板の回転角度との関係を示した図である。
【図２１】本発明の第１実施形態による携帯電話機に設けられた音量調整モードにおいて、選択された左端の音符の音量の大きさが調整される際の様子を示した図である。
【図２２】本発明の第１実施形態による携帯電話機に設けられた音量調整モードにおいて、１小節分の音符の音量が調整された様子を示した図である。
【図２３】本発明の第１実施形態による携帯電話機の編曲時のテンポ調整モードの制御フローを示した図である。
【図２４】本発明の第１実施形態による携帯電話機の楽曲選択画面を示した図である。
【図２５】本発明の第１実施形態による携帯電話機に設けられたテンポ調整モードにおいて、６小節が表示されている様子を示した図である。
【図２６】本発明の第１実施形態による携帯電話機に設けられたテンポ調整モードにおいて、テンポと回転板の回転角度との関係を示した図である。
【図２７】本発明の第１実施形態による携帯電話機に設けられたテンポ調整モードにおいて、選択された小節のテンポの程度が調整される際の様子を示した図である。
【図２８】本発明の第１実施形態による携帯電話機の編曲時の曲合成モードの制御フローを示した図である。
【図２９】本発明の第１実施形態による携帯電話機に設けられた曲合成モードにおいて、２曲目が選択される際の楽曲選択画面を示した図である。
【図３０】本発明の第１実施形態による携帯電話機に設けられた曲合成モードにおいて、合成された楽曲が表示される様子を示した図である。
【図３１】本発明の第２実施形態による携帯電話機の楽曲作成時の音の高さおよび音の長さ調整モードの制御フローを示した図である。
【発明を実施するための形態】
【００２６】
以下、本発明を具体化した実施形態を図面に基づいて説明する。
【００２７】
（第１実施形態）
まず、図１〜図７を参照して、本発明の第１実施形態による携帯電話機１００の構成について説明する。なお、第１実施形態では、本発明の「電子機器」および「携帯機器」の一例として、回転部材（回転板３１）を備えた携帯電話機１００に、本発明を適用した場合について説明する。
【００２８】
本発明の第１実施形態による携帯電話機１００は、図１および図２に示すように、入力キー部側本体１１（図２参照）と、表示部側本体１２とから構成されている。また、携帯電話機１００は、図２に示すように、表示部側本体１２をＸ１側にスライドさせることによって、入力キー部側本体１１を表示部側本体１２の下方（Ｘ２側）に引き出すことが可能なように構成されている。
【００２９】
また、入力キー部側本体１１には、図２に示すように、「０」から「９」までの数字、「アスタリスク」および「シャープ」が付された複数のキーからなる入力キー部１３と、外部音声が入力されるマイク１４とが設けられている。
【００３０】
また、表示部側本体１２には、図１に示すように、表示画面部１５と、表示部側操作キー部１６と、音声が出力されるスピーカ１７と、回転入力装置２００とが設けられている。また、表示画面部１５は、後述するメイン制御部１８によって、メニュー画面、操作画面、音の高さ、音の長さ、音量およびテンポ（楽曲の速さ）を調整するための画面、楽曲を合成するための画面および楽曲を選択するための画面などが表示されるように構成されている。また、表示部側操作キー部１６は、ユーザによって押下されることによりメニュー画面が表示画面部１５に表示されるメニューキー１６ａと、電子メールに関する操作画面が表示画面部１５に表示されるメールキー１６ｂと、他の図示しない携帯電話機などとの通話開始に関する通話キー１６ｃと、携帯電話機などとの通話終了に関する終話キー１６ｄと、携帯電話機１００の操作が前に戻されるクリアキー１６ｅとからなる。また、回転入力装置２００は、ユーザによって時計回り（Ａ方向）および反時計回り（Ｂ方向）に回転されることが可能なように構成されているとともに、ユーザによって押下されることが可能なように構成されている。なお、回転入力装置２００の具体的な構造については後述する。
【００３１】
また、携帯電話機１００には、図３に示すように、メイン制御部１８と、フラッシュＲＯＭ（不揮発性ＲＯＭメモリ）１９とが設けられている。このメイン制御部１８は、携帯電話機１００の制御処理を統括する役割を有している。また、フラッシュＲＯＭ１９には、楽曲作成用プログラムが記憶されているとともに、ユーザにより作成された楽曲を記憶することが可能なように構成されている。なお、メイン制御部１８は、本発明の「制御手段」および「第２制御部」の一例である。
【００３２】
また、メイン制御部１８は、フラッシュＲＯＭ１９に記憶されている楽曲作成用プログラムに基づいて、楽曲を作成可能なように構成されている。具体的には、メイン制御部１８には、楽曲を構成する音の高さ、音の長さ、音量およびテンポ（楽曲の速さ）がそれぞれ調整される音の高さ調整モード、音の長さ調整モード、音量調整モードおよびテンポ調整モードと、異なる楽曲を合成して新たな楽曲を作成する曲合成モードとが設定されている。なお、音の高さ調整モード、音の長さ調整モードおよび音量調整モードは、楽曲を作成するモードであり、テンポ調整モードおよび曲合成モードは、作成された楽曲を編曲するモードである。
【００３３】
ここで、第１実施形態では、メイン制御部１８は、各々の楽曲を作成するモードにおいて、ユーザによって回転入力装置２００の後述する回転板３１（図１参照）が回転操作されることによる後述する静電型エンコーダ３７が検出した回転板３１の状態に基づいて、音の高さ、音の長さおよび音量の程度を選択するとともに、ユーザによって回転板３１が押下操作されることによって、押下操作された際の回転板３１の回転角度に基づいて、楽曲を構成する音の高さ、音の長さおよび音量の程度を決定する制御を行うように構成されている。この際、回転板３１の回転角度が大きくなるに従って、音の高さ、音の長さおよび音量の程度が大きくなるように構成されている。すなわち、回転板３１の回転角度が大きくなるに従って、音の高さが高くなり、音の長さが長くなり、音量が大きくなるように構成されている。なお、メイン制御部１８は、回転板３１の回転方向（図１に示すＡ方向およびＢ方向）には依存せず、回転前の状態と回転後の状態とから算出される回転角度（スカラー量）に基づいて、楽曲を構成する音の高さ、音の長さおよび音量の程度を決定する制御を行うように構成されている。
【００３４】
また、メイン制御部１８は、ユーザによって回転板３１（図１参照）が１秒以上２秒未満の間押下され続ける押下操作（長押しの押下操作）またはダブルクリック（連続的な２回の押下操作）が行われることによって、楽曲を作成するモードを現在選択されているモードから新たなモードに切り替えるように構成されている。具体的には、図４に示すように、メイン制御部１８は、楽曲を作成するモードが音の高さ調整モードである場合には、ユーザによって長押しの押下操作が行われることにより楽曲を作成するモードを音の長さ調整モードに移行し、ユーザによってダブルクリックが行われることにより楽曲を作成するモードを音量調整モードに移行するように構成されている。また、メイン制御部１８は、楽曲を作成するモードが音の長さ調整モードである場合には、ユーザによって長押しの押下操作が行われることにより楽曲を作成するモードを音量調整モードに移行し、ユーザによってダブルクリックが行われることにより楽曲を作成するモードを音の高さ調整モードに移行するように構成されている。また、メイン制御部１８は、楽曲を作成するモードが音量調整モードである場合には、ユーザによって長押しの押下操作が行われることにより楽曲を作成するモードを音の高さ調整モードに移行し、ユーザによってダブルクリックが行われることにより楽曲を作成するモードを音の長さ調整モードに移行するように構成されている。
【００３５】
また、メイン制御部１８は、音の高さ調整モード、音の長さ調整モードおよび音量調整モードのいずれかにおいて、ユーザによって回転板３１が２秒以上の間押下され続けることによって、作成された楽曲をフラッシュＲＯＭ１９に記憶するように構成されている。そして、メイン制御部１８は、フラッシュＲＯＭ１９に記憶された楽曲を読み出す際に、ユーザによって楽曲が選択された状態で回転板３１が２秒未満押下されることによって、テンポ調整モードに切り替わる一方、ユーザによって回転板３１が２秒以上の間押下され続けることによって、曲合成モードに切り替わるように構成されている。
【００３６】
また、メイン制御部１８は、テンポ調整モードにおいて、ユーザによって回転板３１が回転操作および押下操作されることによって、押下操作された際に選択されている小節をテンポが調整される小節に決定する制御を行うように構成されている。そして、メイン制御部１８は、テンポ調整モードにおいて、ユーザによって回転板３１が回転操作されることに基づいて、選択された小節のテンポの程度（速さ）を選択するとともに、ユーザによって回転板３１が押下操作されることによって、押下操作された際の回転板３１の回転角度に基づいて、選択された小節のテンポの程度を決定する制御を行うように構成されている。この際、回転板３１の回転角度が大きくなるに従って、選択された小節のテンポの程度が大きくなるように構成されている。すなわち、回転板３１の回転角度が大きくなるに従って、選択された小節のテンポが速くなるように構成されている。なお、メイン制御部１８は、回転板３１の回転方向（図１に示すＡ方向およびＢ方向）には依存せずに、回転前の状態と回転後の状態とから算出される回転角度（スカラー量）に基づいて、テンポの程度を決定する制御を行うように構成されている。
【００３７】
また、メイン制御部１８は、曲合成モードにおいて、ユーザによって回転板３１が回転操作および押下操作されることによって、押下操作された際に選択されている楽曲が合成される楽曲に決定するとともに、選択された楽曲（１曲目および２曲目）を合成して新たな楽曲を作成するように構成されている。
【００３８】
また、メイン制御部１８は、後述する回転入力装置２００の制御部２１とＵＳＢケーブル（図示せず）などの通信手段で接続されており、ユーザの回転操作に基づく回転角度や押下操作などに関するデータを回転入力装置２００から受信することが可能なように構成されている。また、メイン制御部１８は、スピーカ１７や音声を出力可能な外部機器（図示せず）を介して作成された楽曲を音として出力することが可能なように構成されている。
【００３９】
また、図３に示すように、回転入力装置２００には、操作本体部３００と、制御部２１と、制御部２１から操作本体部３００に印加される電圧を増幅するアンプ２２と、一時的にデータを記憶するためのＲＡＭ（読取り書込み可能メモリ）２３と、ＲＯＭ（読取り専用メモリ）２４とが設けられている。この制御部２１は、回転式入力装置２００が備える各種パラメータを変更することが可能なように構成されている。また、ＲＡＭ２３は、制御部２１の作業領域として利用されるように構成されている。また、ＲＯＭ２４には、触感付与用プログラムが記憶されており、制御部２１は、触感付与用プログラムに基づいて、操作本体部３００においてユーザに触感を付与するように構成されている。なお、制御部２１は、本発明の「制御手段」および「第１制御部」の一例である。
【００４０】
また、操作本体部３００は、図５に示すように、平面的に見て、略円形形状を有する部分の上部において、ユーザにより回転可能に構成されている。また、操作本体部３００は、図６に示すように、磁性材料である鉄からなる回転板３１と、回転板３１の下部側（Ｙ１側）に設けられ、磁性材料である鉄からなる支持台３２と、感圧センサ用ＦＰＣ（フレキシブルプリント基板）３３とを備えている。この支持台３２は、回転板３１を回転可能に支持するように構成されている。また、感圧センサ用ＦＰＣ３３は、支持台３２の下部側（Ｙ１側）に配置されている。また、感圧センサ用ＦＰＣ３３には、４つの感圧センサ３３ａが等角度（９０度）間隔で搭載されている。この感圧センサ３３ａは、ユーザによる回転板３１の押下操作を検出することが可能なように構成されている。また、感圧センサ用ＦＰＣ３３は、操作本体部３００の外部に延びる配線部３３ｂによって、操作本体部３００の外部に配置された制御部２１（図３参照）と接続されている。なお、回転板３１は、本発明の「回転部材」の一例であり、感圧センサ３３ａは、本発明の「検出部」および「押下検出部」の一例である。
【００４１】
また、図６に示すように、回転板３１は、中央に開口部３１ａを有する略円板状に形成されている。回転板３１の上面は、ユーザが回転操作や押下操作といった入力操作を行う操作面を構成し、この上面には、ユーザが入力操作を行う際の滑り止め等として機能する突起３１ｂが形成されている。また、回転板３１の開口部３１ａには、ワッシャ３４が配置されるとともに、ネジ３５の頭部が配置される。このネジ３５は、ワッシャ３４および回転板３１の開口部３１ａを貫通して、支持台３２の円筒部３２ａに形成されたネジ穴に螺合されるように構成されている。これにより、ネジ３５は、回転板３１の回転軸となるように構成されている。
【００４２】
また、回転板３１の下面の側面近傍と支持台３２の上面の側面近傍との間には、リング状の摺動部材３６が挟まれるように配置されている。この摺動部材３６は、接着剤などによって回転板３１の下面側に固着されており、回転板３１の回転により摺動部材３６も回転するように構成されている。また、摺動部材３６は、少なくともＹ方向に弾性変形する部材で形成されている。なお、摺動部材３６は、高分子ポリエチレンやシリコンゴムなどからなる。
【００４３】
また、回転板３１と支持台３２との間には空間が形成されている。この空間には、Ｙ２側から静電型エンコーダ３７と、両面テープ３８と、励磁コイル３９と、両面テープ４０とが配置されている。この両面テープ３８は、後述するステータ３７ｂの下面と励磁コイル３９の上面とを接着している。また、両面テープ４０は、励磁コイル３９の下面と支持台３２とを接着している。
【００４４】
また、静電型エンコーダ３７は、回転板３１とともに回転するロータ（回転子）３７ａと、回転板３１とともに回転しないステータ（固定子）３７ｂと、ステータ３７ｂから外部に延びる配線部３７ｃとから構成されている。また、ロータ３７ａの下面には、中心に対して偏心するように略円形形状の電極部１３７ａが設けられている。また、ステータ３７ｂの上面には、４つの電極部１３７ｂが設けられている。また、静電型エンコーダ３７は、操作本体部３００の外部に延びる配線部３７ｃによって、操作本体部３００の外部に配置された制御部２１（図３参照）と接続されている。
【００４５】
ここで、回転板３１が回転すると、ロータ３７ａに設けられている電極部１３７ａと、ステータ３７ｂに設けられている４つの電極部１３７ｂとが相対的に移動することによって、電極部１３７ａと電極部１３７ｂとの間の静電容量が変化する。この静電容量の変化を検出することによって、回転板３１の回転角度を検出することが可能なように構成されている。なお、静電型エンコーダ３７は、本発明の「検出部」および「角度検出部」の一例である。
【００４６】
また、励磁コイル３９は、リング状になるように導線が複数回巻かれることにより形成されるコイル部３９ａと、コイル部３９ａから外部に延びる配線部３９ｂとから構成されている。この配線部３９ｂによって、励磁コイル３９は操作本体部３００の外部に配置された制御部２１（図３参照）と接続されている。また、励磁コイル３９は、制御部２１から入力される電圧に応じて、電磁力が発生するように構成されている。この際、励磁コイル３９からの電磁力によって、回転板３１が吸引されて回転板３１の回転方向（図１に示すＡ方向およびＢ方向）に抗する抵抗力が付与されるように構成されている。なお、励磁コイル３９は、本発明の「触感付与部」の一例である。
【００４７】
また、励磁コイル３９は、図７に示すように、回転板３１の回転角度領域のうち、回転角度がθ１からθ２の間の回転角度領域、θ３からθ４の間の回転角度領域、θ５からθ６の間の回転角度領域およびθ７からθ８の間の回転角度領域である第１回転角度領域Ｃにおいては電圧が印加されて通電されるように構成されている。一方、励磁コイル３９は、回転板３１の回転角度領域のうち、回転角度がθ２からθ３の間の回転角度領域、θ４からθ５の間の回転角度領域およびθ６からθ７の間の回転角度領域である第２回転角度領域Ｄにおいては通電されないように構成されている。これにより、励磁コイル３９が通電されることにより回転板３１の回転方向（図１のＡ方向またはＢ方向）に抗する抵抗力が付与される状態と、励磁コイル３９が通電されないことにより回転板３１の回転方向に抗する抵抗力が解除される状態とが第１回転角度領域Ｃと第２回転角度領域Ｄとの間で交互に繰り返される。これにより、抵抗力の付与時の回転方向への抵抗感と抵抗力の解除時の回転方向への脱抵抗感とが繰り返されることによって、ユーザの回転部材を把持する指（手）に触感を付与するように構成されている。この結果、携帯電話機１００は、制御部２１によって、ユーザの回転板３１の回転操作に基づいてユーザに触感を付与するとともに、メイン制御部１８によって、ユーザによる楽曲を作成可能なように構成されている。
【００４８】
次に、図１、図３、および図７〜図２２を参照して、本発明の第１実施形態における携帯電話機１００を用いて楽曲を作成する際の制御フローについて説明する。
【００４９】
なお、携帯電話機１００の楽曲作成時において、ユーザによって回転板３１（図１参照）が回転操作された際には、ユーザに触感を付与するために、制御部２１（図３参照）によって、第１回転角度領域Ｃ（図７参照）において励磁コイル３９（図３参照）が通電され、第２回転角度領域Ｄ（図７参照）において励磁コイル３９が通電されない制御が行われる。
【００５０】
まず、ユーザにより図１に示す携帯電話機１００のメニューキー１６ａが押下されることにより、メイン制御部１８（図３参照）によって、図示しないメニュー画面が表示画面部１５に表示される。そして、ユーザにより入力キー部１３、表示部側操作キー部１６および回転入力装置２００が操作されることにより、メイン制御部１８によって、フラッシュＲＯＭ１９（図３参照）に記憶されている楽曲作成用プログラムが起動される。これにより、携帯電話機１００における楽曲作成の制御がメイン制御部１８において行われる。
【００５１】
まず、図８に示すように、ステップＳ１において、メイン制御部１８によって、楽曲作成のモードが音の高さ調整モードに切り替えられる。なお、まだ楽曲が作成されていない場合には、図９に示すように、表示画面部１５に音符や休符が表示されていない五線譜が表示される。
【００５２】
次に、ステップＳ２において、メイン制御部１８によって、ユーザにより回転板３１（図１参照）が１秒以上２秒未満の間押下され続けたか否かが判断される。ステップＳ２において、回転板３１が１秒以上２秒未満の間押下され続けたと判断された場合には、楽曲作成のモードが音の長さ調整モードに移行したと判断されて図１３に示すステップＳ２１に進む。また、ステップＳ２において、回転板３１が１秒以上２秒未満の間押下されていないと判断された場合には、ステップＳ３に進み、ユーザにより回転板３１がダブルクリックされたか否かが判断される。ステップＳ３において、回転板３１がダブルクリックされたと判断された場合には、楽曲作成のモードが音量調整モードに移行したと判断されて図１８に示すステップＳ４１に進む。また、ステップＳ３において、回転板３１がダブルクリックされていないと判断された場合には、音の高さ調整モードが維持されてステップＳ４に進む。
【００５３】
次に、ステップＳ４において、メイン制御部１８によって、ユーザにより回転板３１が回転されたか否かが判断される。ステップＳ４において、回転板３１が回転されていないと判断された場合には、ステップＳ６に進む。また、ステップＳ４において、回転板３１が回転されたと判断された場合には、ステップＳ５に進み、回転板３１の回転角度に基づいて、音の高さが選択された音符が表示画面部１５に表示される。そして、ステップＳ６に進む。
【００５４】
この際、図１０に示すように、回転板３１の回転角度がα１である場合には、「ミ」が音の高さとして選択される。また、回転板３１の回転角度がα２である場合には、「ファ」が音の高さとして選択される。また、回転板３１の回転角度がα３である場合には、「ソ」が音の高さとして選択される。また、回転板３１の回転角度がα４である場合には、「ラ」が音の高さとして選択される。また、回転板３１の回転角度がα５である場合には、「シ」が音の高さとして選択される。また、回転板３１が回転されずに押下された場合には、休符が選択および決定される。
【００５５】
なお、図１０は、回転板３１の回転角度と音の高さとの関係を部分的にのみ示しており、より大きな回転角度とより高い音を対応させるとともに、より小さな回転角度とより低い音とを対応させることが可能である。また、回転角度によっては、音の高さが半音（シャープまたはフラット）になるように調整することも可能である。
【００５６】
そして、ステップＳ６では、メイン制御部１８によって、ユーザにより回転板３１が押下されたか否かが判断される。ステップＳ６において、回転板３１が押下されていないと判断された場合には、ステップＳ４に戻る。また、ステップＳ６において、回転板３１が押下されたと判断された場合には、ステップＳ７に進む。
【００５７】
そして、ステップＳ７において、メイン制御部１８によって、ユーザにより回転板３１が回転された後に押下されたか否かが判断される。ステップＳ７において、回転板３１が回転された後に押下されたと判断された場合には、ステップＳ８において、押下された際の回転板３１の回転角度に基づいて、表示画面部１５に表示されている音符の音の高さが決定される。なお、図１１に示すように、回転角度がα４の場合には、「ラ」の位置に音符が配置される。そして、ステップＳ１０に進む。また、ステップＳ７において、回転板３１が回転されない状態で押下されたと判断された場合には、ステップＳ９において、休符が表示画面部１５に表示されるとともに配置される。そして、ステップＳ１０に進む。
【００５８】
ステップＳ１０では、メイン制御部１８によって、ユーザにより回転板３１が２秒以上の間押下され続けたか否かが判断される。ステップＳ１０において、回転板３１が２秒以上の間押下され続けていないと判断された場合には、ステップＳ２に戻り、音の長さ調整モードへの移行、音量調整モードへの移行または音の高さ調整モードにおける新たな音符の高さの調整が行われる。また、ステップＳ１０において、メイン制御部１８によって、回転板３１が２秒以上の間押下され続けたと判断された場合には、ステップＳ１１において、作成された楽曲がフラッシュＲＯＭ１９に保存される。そして、メイン制御部１８による楽曲作成が終了される。
【００５９】
なお、第１実施形態では、図１２に示すように、図８に示すステップＳ２からステップＳ１０が繰り返されることにより４つの音符からなる楽曲が作成された状態で、ステップＳ２において、回転板３１が１秒以上２秒未満の間押下され続けたことによって、楽曲作成のモードが音の長さ調整モードへ移行する場合について説明する。
【００６０】
次に、音の高さ調整モードにおいて回転板３１が１秒以上２秒未満の間押下され続けたと判断された場合（図８のステップＳ２）および後述する音量調整モードにおいて回転板３１がダブルクリックされたと判断された場合（図１８のステップＳ４６）には、図１３に示すように、ステップＳ２１において、メイン制御部１８によって、楽曲作成のモードが音の長さ調整モードに切り替えられる。そして、ステップＳ２２において、音の高さ調整モードにおいて音の高さが決定された音符または休符があるか否かが判断される。ステップＳ２２において、音の高さが決定された音符または休符がないと判断された場合には、ステップＳ２３において、図示しないエラー表示が表示画面部１５に表示されて、メイン制御部１８による楽曲作成が終了される。
【００６１】
また、ステップＳ２２において、メイン制御部１８によって、音の高さが決定された音符または休符があると判断された場合には、ステップＳ２４において、表示画面部１５に音の長さを調整する音符または休符からなる楽曲が表示されるとともに、音の長さが調整される音符または休符が選択されて、選択された音符または休符が点滅表示される。なお、第１実施形態では、図１４に示すように、左端に位置する音符が選択されているとともに、選択された音符が点滅表示されている。
【００６２】
次に、ステップＳ２５において、メイン制御部１８によって、ユーザにより回転板３１が１秒以上２秒未満の間押下され続けたか否かが判断される。ステップＳ２５において、回転板３１が１秒以上２秒未満の間押下され続けたと判断された場合には、楽曲作成のモードが音量調整モードに移行したと判断されて図１８に示すステップＳ４１に進む。また、ステップＳ２５において、回転板３１が１秒以上２秒未満の間押下されていないと判断された場合には、ステップＳ２６に進み、ユーザにより回転板３１がダブルクリックされたか否かが判断される。ステップＳ２６において、回転板３１がダブルクリックされたと判断された場合には、楽曲作成のモードが音の高さ調整モードに移行したと判断されて図８に示すステップＳ１に進む。また、ステップＳ２６において、回転板３１がダブルクリックされていないと判断された場合には、音の長さ調整モードが維持されてステップＳ２７に進む。
【００６３】
次に、ステップＳ２７において、メイン制御部１８によって、ユーザにより回転板３１が回転されたか否かが判断される。ステップＳ２７において、回転板３１が回転されていないと判断された場合には、回転されたと判断されるまでこの判断が繰り返される。そして、ステップＳ２７において、回転板３１が回転されたと判断された場合には、ステップＳ２８に進み、回転板３１の回転角度に基づいて、音の長さが選択された音符および休符が表示画面部１５に表示される。そして、ステップＳ２９に進む。
【００６４】
この際、図１５に示すように、回転板３１の回転角度がβ１である場合には、「８分音符（休符）」が音の長さとして選択される。また、回転板３１の回転角度がβ２である場合には、「４分音符（休符）」が音の長さとして選択される。また、回転板３１の回転角度がβ３である場合には、「２分音符（休符）」が音の長さとして選択される。また、回転板３１の回転角度がβ４である場合には、「全音符（休符）」が音の長さとして選択される。
【００６５】
なお、図１５は、回転板３１の回転角度と音の長さとの関係を部分的にのみ示しており、より大きな回転角度とより長い音を対応させるとともに、より小さな回転角度とより短い音とを対応させることが可能である。また、回転角度によっては、音の長さが付点（付点４分音符など）になるように調整することも可能である。
【００６６】
そして、ステップＳ２９では、メイン制御部１８によって、ユーザにより回転板３１が押下されたか否かが判断される。ステップＳ２９において、回転板３１が押下されていないと判断された場合には、ステップＳ２７に戻る。また、ステップＳ２９において、回転板３１が押下されたと判断された場合には、ステップＳ３０において、押下された際の回転板３１の回転角度に基づいて、表示画面部１５に表示されている音符の音の長さが決定される。なお、図１６に示すように、回転角度がβ１の場合には、左端の音符が８分音符の長さに決定される。そして、ステップＳ３１に進む。
【００６７】
ステップＳ３１では、メイン制御部１８によって、ユーザにより回転板３１が２秒以上の間押下され続けたか否かが判断される。ステップＳ３１において、回転板３１が２秒以上の間押下され続けていないと判断された場合には、ステップＳ２２に戻り、メイン制御部１８によって、次に音の長さが調整される音符または休符があるか否かが判断される。そして、音量調整モードへの移行、音の高さ調整モードへの移行または音の長さ調整モードにおける新たに選択された音符または休符の長さの調整が行われる。また、ステップＳ３１において、メイン制御部１８によって、回転板３１が２秒以上の間押下され続けたと判断された場合には、ステップＳ３２において、作成された楽曲がフラッシュＲＯＭ１９に保存される。そして、メイン制御部１８による楽曲作成が終了される。
【００６８】
なお、第１実施形態では、図１７に示すように、音の高さ調整モードにおいて作成された４つの音符からなる楽曲の４つの音符すべてにおいて図１３に示すステップＳ２２からステップＳ３１が繰り返されることにより音の長さが調整された状態で、ステップＳ２５において、回転板３１が１秒以上２秒未満の間押下され続けたことによって、楽曲作成のモードが音量調整モードへ移行する場合について説明する。
【００６９】
次に、音の高さ調整モードにおいて回転板３１がダブルクリックされたと判断された場合（図８のステップＳ３）および音の長さ調整モードにおいて回転板３１が１秒以上２秒未満の間押下され続けたと判断された場合（図１３のステップＳ２５）には、図１８に示すように、ステップＳ４１において、メイン制御部１８によって、楽曲作成のモードが音量調整モードに切り替えられる。そして、ステップＳ４２において、音の高さ調整モードにおいて音の高さが決定された音符があるか否かが判断される。ステップＳ４２において、音の高さが決定された音符がないと判断された場合には、ステップＳ４３において、図示しないエラー表示が表示画面部１５に表示されて、メイン制御部１８による楽曲作成が終了される。
【００７０】
また、ステップＳ４２において、メイン制御部１８によって、音の高さが決定された音符があると判断された場合には、ステップＳ４４において、図１９に示すように、表示画面部１５に音量を調整する音符が含まれる楽曲が表示されるとともに、楽曲が表示された五線譜の下方には、音量をグラフ化して表示するためのグラフ表示領域が表示される。このグラフ表示領域の左端には、音量が数値化して示されており、音量が最も大きい値として「１００」と表示されているとともに、音量が最も小さい値として「０」と表示されている。なお、音量が「０」の場合には、音符の音量がないことになるため、音符は実質的に休符になる。なお、第１実施形態では、図１９に示すように、表示画面部１５に音の高さおよび音の長さが調整された４つの音符からなる楽曲が表示される。また、ステップＳ４４では、メイン制御部１８によって、音量が調整される音符が選択される。なお、第１実施形態では、図１９に示すように、左端に位置する音符が選択されているとともに、左端に位置する音符の下に位置するグラフ表示領域には、音量調節バーが表示されている。この音量調節バーは、ユーザの回転操作に基づいて、上下方向に移動するように表示される。
【００７１】
次に、ステップＳ４５において、メイン制御部１８によって、ユーザにより回転板３１が１秒以上２秒未満の間押下され続けたか否かが判断される。ステップＳ４５において、回転板３１が１秒以上２秒未満の間押下され続けたと判断された場合には、楽曲作成のモードが音の高さ調整モードに移行したと判断されて図８に示すステップＳ１に進む。また、ステップＳ４５において、回転板３１が１秒以上２秒未満の間押下されていないと判断された場合には、ステップＳ４６に進み、ユーザにより回転板３１がダブルクリックされたか否かが判断される。ステップＳ４６において、回転板３１がダブルクリックされたと判断された場合には、楽曲作成のモードが音の長さ調整モードに移行したと判断されて図１３に示すステップＳ２１に進む。また、ステップＳ４６において、回転板３１がダブルクリックされていないと判断された場合には、音量調整モードが維持されてステップＳ４７に進む。
【００７２】
次に、ステップＳ４７において、メイン制御部１８によって、ユーザにより回転板３１が回転されたか否かが判断される。ステップＳ４７において、回転板３１が回転されたと判断された場合には、ステップＳ４８に進み、回転板３１の回転角度に基づいて、グラフ表示領域に表示された音量調節バーが、所定の音量に対応する位置に表示される。そして、ステップＳ４９に進む。また、ステップＳ４７において、回転板３１が回転されていないと判断された場合には、ステップＳ４９に進む。
【００７３】
この際、図２０に示すように、回転板３１が回転されずに押下された場合には、「０」が音量として選択および決定される。また、回転板３１の回転角度がγ１である場合には、「４０」が音量として選択される。また、回転板３１の回転角度がγ２である場合には、「６０」が音量として選択される。また、回転板３１の回転角度がγ３である場合には、「８０」が音量として選択される。
【００７４】
そして、ステップＳ４９では、メイン制御部１８によって、ユーザにより回転板３１が押下されたか否かが判断される。ステップＳ４９において、回転板３１が押下されていないと判断された場合には、ステップＳ４７に戻る。また、ステップＳ４９において、回転板３１が押下されたと判断された場合には、ステップＳ５０において、押下された際の回転板３１の回転角度に基づいて、表示画面部１５に表示されている音符の音量が決定される。なお、図２１に示すように、回転角度がγ１の場合には、左端の音符の音量が「４０」に決定される。そして、ステップＳ５１に進む。
【００７５】
ステップＳ５１では、メイン制御部１８によって、ユーザにより回転板３１が２秒以上の間押下され続けたか否かが判断される。ステップＳ５１において、回転板３１が２秒以上の間押下され続けていないと判断された場合には、ステップＳ４２に戻り、メイン制御部１８によって、次に音量が調整される音符があるか否かが判断される。そして、音の高さ調整モードへの移行、音の長さ調整モードへの移行または音量調整モードにおける新たに選択された音符の音量の調整が行われる。また、ステップＳ５１において、メイン制御部１８によって、回転板３１が２秒以上の間押下され続けたと判断された場合には、ステップＳ５２において、作成された楽曲がフラッシュＲＯＭ１９に保存される。そして、メイン制御部１８による楽曲作成が終了される。
【００７６】
なお、第１実施形態では、図２２に示すように、音の高さ調整モードにおいて作成された４つの音符からなる楽曲の４つの音符すべてにおいて音の長さと音量とが調整された状態で、ステップＳ５１において、回転板３１が２秒以上の間押下され続けて、ステップＳ５２において、作成された楽曲がフラッシュＲＯＭ１９に保存される。
【００７７】
次に、図１、図３、図７および図２３〜図３０を参照して、本発明の第１実施形態における携帯電話機１００を用いてすでに作曲された楽曲を編曲する際の制御フローについて説明する。
【００７８】
なお、携帯電話機１００の編曲時において、回転板３１（図１参照）が回転操作された際には、ユーザに触感を付与するために、制御部２１（図３参照）によって、第１回転角度領域Ｃ（図７参照）において励磁コイル３９（図３参照）が通電され、第２回転角度領域Ｄ（図７参照）において励磁コイル３９が通電されない制御が行われる。
【００７９】
まず、メイン制御部１８（図３参照）によって、フラッシュＲＯＭ１９（図３参照）に記憶されている楽曲作成用プログラムが起動されている状態で、ユーザにより入力キー部１３、表示部側操作キー部１６および回転入力装置２００が操作されることにより、図２３に示すように、ステップＳ６１において、メイン制御部１８によって、フラッシュＲＯＭ１９に記憶されている楽曲を選択する楽曲選択画面が表示される。なお、第１実施形態では、図２４に示すように、楽曲データであるデータ１とデータ２とが表示された楽曲選択画面が表示画面部１５に表示されている。この際、データ１が枠に囲われており、データ１が選択状態であることを示している。そして、ステップＳ６２に進む。
【００８０】
ステップＳ６２では、メイン制御部１８によって、ユーザにより回転板３１が回転されたか否かが判断される。ステップＳ６２において、回転板３１が回転されたと判断された場合には、ステップＳ６３に進み、回転板３１の回転操作に基づいて、フラッシュＲＯＭ１９に記憶されている楽曲のうち選択される楽曲が変更される。具体的には、ユーザにより回転板３１が時計回り（図２４のＡ方向）に回転されることによって、枠が下に位置するデータを囲うように移動する一方、ユーザにより回転板３１が反時計回り（図２４のＢ方向）に回転されることによって、枠が上に位置するデータを囲うように移動するように表示される。そして、ステップＳ６４に進む。また、ステップＳ６２において、回転板３１が回転されていないと判断された場合には、ステップＳ６４に進む。
【００８１】
ステップＳ６４では、メイン制御部１８によって、ユーザにより回転板３１が押下されたか否かが判断される。ステップＳ６４において、回転板３１が押下されていないと判断された場合には、ステップＳ６２に戻る。また、ステップＳ６４において、回転板３１が押下されたと判断された場合には、ステップＳ６５に進む。
【００８２】
次に、ステップＳ６５において、ユーザにより回転板３１が２秒以上の間押下され続けたか否かが判断される。ステップＳ６５において、回転板３１が２秒以上の間押下され続けたと判断された場合には、楽曲を編曲するモードが曲合成モードに移行したと判断されて図２８に示すステップＳ８１に進む。また、ステップＳ６５において、回転板３１が２秒以上の間押下され続けていないと判断された場合には、楽曲を編曲するモードがテンポ調整モードに移行したと判断されてステップＳ６６に進み、メイン制御部１８によって、テンポ調整モードに切り替えられる。そして、押下された際に選択された楽曲に対してテンポ（楽曲の速さ）調整が行われる。この際、図２５に示すように、選択された楽曲の音符および休符が１小節ごとに分けられて表示画面部１５に表示される。そして、ステップＳ６７に進む。
【００８３】
ステップＳ６７では、メイン制御部１８によって、ユーザにより回転板３１が回転されたか否かが判断される。ステップＳ６７において、回転板３１が回転されたと判断された場合には、ステップＳ６８に進み、回転板３１の回転操作に基づいて、選択された楽曲のうちテンポ調整される小節が変更される。具体的には、図２５に示すように、ユーザにより回転板３１が時計回り（Ａ方向）に回転されることによって、楽曲の後方に位置する小節が選択される一方、ユーザにより回転板３１が反時計回り（Ｂ方向）に回転されることによって、楽曲の前方に位置する小節が選択される。なお、選択されている小節は点滅表示される。そして、ステップＳ６９に進む。また、ステップＳ６７において、回転板３１が回転されていないと判断された場合には、ステップＳ６９に進む。
【００８４】
ステップＳ６９では、メイン制御部１８によって、ユーザにより回転板３１が押下されたか否かが判断される。ステップＳ６９において、回転板３１が押下されていないと判断された場合には、ステップＳ６７に戻る。また、ステップＳ６９において、回転板３１が押下されたと判断された場合には、ステップＳ７０において、押下された際に点滅表示されている小節がテンポ調整される小節に決定される。そして、ステップＳ７１に進む。
【００８５】
ステップＳ７１では、メイン制御部１８によって、ユーザにより回転板３１が回転されたか否かが判断される。ステップＳ７１において、回転板３１が回転されていないと判断された場合には、回転されたと判断されるまでこの判断が繰り返される。ステップＳ７１において、回転板３１が回転されたと判断された場合には、ステップＳ７２に進み、メイン制御部１８によって、ユーザにより回転板３１が押下されたか否かが判断される。ステップＳ７２において、回転板３１が押下されていないと判断された場合には、ステップＳ７１に戻る。また、ステップＳ７２において、回転板３１が押下されたと判断された場合には、ステップＳ７３において、押下された際の回転板３１の回転角度に基づいて、選択されている小節のテンポ（楽曲の速さ）が決定される。
【００８６】
この際、図２６に示すように、回転板３１の回転角度がδ１である場合には、１分間に４分音符が１００回含まれる速さが小節のテンポとして選択および決定される。また、回転板３１の回転角度がδ２である場合には、１分間に４分音符が１４０回含まれる速さが小節のテンポとして選択および決定される。また、回転板３１の回転角度がδ３である場合には、１分間に４分音符が１８０回含まれる速さが小節のテンポとして選択および決定される。なお、図２７に示すように、回転板３１の回転角度がδ２の場合には、選択されている小節のテンポ（楽曲の速さ）が１分間に４分音符が１４０回含まれる速さに決定される。そして、ステップＳ７４に進む。
【００８７】
なお、図２６は、回転板３１の回転角度とテンポ（楽曲の速さ）との関係を部分的にのみ示しており、より大きな回転角度とより速いテンポを対応させるとともに、より小さな回転角度とより遅いテンポとを対応させることが可能である。
【００８８】
そして、ステップＳ７４では、メイン制御部１８によって、ユーザにより回転板３１が２秒以上の間押下され続けたか否かが判断される。ステップＳ７４において、回転板３１が２秒以上の間押下され続けていないと判断された場合には、ステップＳ６７に戻り、選択された楽曲におけるテンポの調整が続けられる。また、ステップＳ７４において、回転板３１が２秒以上の間押下され続けたと判断された場合には、ステップＳ７５において、テンポが調整された楽曲がフラッシュＲＯＭ１９に保存される。そして、メイン制御部１８による編曲が終了される。
【００８９】
また、図２３のステップＳ６５において、メイン制御部１８によって、回転板３１が２秒以上の間押下され続けたと判断された場合には、楽曲を編曲するモードが曲合成モードに移行したと判断されて図２８に示すステップＳ８１に進み、楽曲を編曲するモードが曲合成モードに切り替えられる。この際、回転板３１が２秒以上の間押下され続けた際に選択された楽曲が合成される１曲目になる。また、図２９に示すように、楽曲データであるデータ２とデータ３とが表示された２曲目を選択するための楽曲選択画面が表示画面部１５に表示される。そして、ステップＳ８２に進む。
【００９０】
次に、ステップＳ８２において、メイン制御部１８によって、ユーザにより回転板３１が回転されたか否かが判断される。ステップＳ８２において、回転板３１が回転されたと判断された場合には、ステップＳ８３に進み、回転板３１の回転操作に基づいて、フラッシュＲＯＭ１９に記憶されている楽曲のうち選択される楽曲（２曲目）が変更される。具体的には、ユーザにより回転板３１が時計回り（図２９のＡ方向）に回転されることによって、枠が下に位置するデータを囲うように移動する一方、ユーザにより回転板３１が反時計回り（図２９のＢ方向）に回転されることによって、枠が上に位置するデータを囲うように移動するように表示される。そして、ステップＳ８４に進む。また、ステップＳ８２において、回転板３１が回転されていないと判断された場合には、ステップＳ８４に進む。
【００９１】
ステップＳ８４では、メイン制御部１８によって、ユーザにより回転板３１が押下されたか否かが判断される。ステップＳ８４において、回転板３１が押下されていないと判断された場合には、ステップＳ８２に戻る。また、ステップＳ８４において、回転板３１が押下されたと判断された場合には、ステップＳ８５に進み、押下された際に選択された楽曲が合成される２曲目となり、選択された１曲目と２曲目とが合成されることによって、図３０に示すように、新たな楽曲（データ１１）が作成される。そして、ステップＳ８６に進み、合成された新たな楽曲がフラッシュＲＯＭ１９に保存されて、メイン制御部１８による編曲が終了される。
【００９２】
第１実施形態では、上記のように、ユーザの回転板３１の回転操作による静電型エンコーダ３７が検出した回転板３１の状態に基づいて、回転入力装置２００の制御部２１によって、ユーザに触感を付与するとともに、メイン制御部１８によって、ユーザによる楽曲を作成可能なように構成することによって、ユーザは、楽曲作成時に、回転板３１の操作とともに回転板３１側から回転板３１を把持する指（手）に触感を受けることができるので、回転板３１への操作の結果だけでなく回転板３１を操作することによる触感からも、ユーザは携帯電話機１００に入力が行われたか否かおよび回転操作の程度を確認することができる。これにより、ユーザによる楽曲作成時に、ユーザに楽曲作成の操作の実感を与えることができる。また、制御部２１およびメイン制御部１８を１つの制御部に統合する場合と比べて、制御部２１およびメイン制御部１８に掛かる負荷を軽減することができる。
【００９３】
また、第１実施形態では、上記のように、制御部２１を、第１回転角度領域Ｃにおいては励磁コイル３９に通電するように構成する一方、第２回転角度領域Ｄにおいては励磁コイル３９に通電しないように構成することによって、励磁コイル３９が通電されることにより回転板３１の回転方向に抗する抵抗力が付与される状態と、励磁コイル３９が通電されないことにより回転板３１の回転方向に抗する抵抗力が解除される状態とが交互に繰り返されることにより、ユーザに触感を付与するように構成することによって、ユーザは、楽曲作成時における回転板３１の回転操作中に、回転板３１の回転方向に抗する抵抗力の付与および解除が交互に繰り返されることにより、抵抗力の付与時の回転方向（Ａ方向またはＢ方向）への抵抗感と抵抗力の解除時の回転方向への脱抵抗感とが繰り返されることにより生じる明確な触感を受けることができる。これにより、ユーザは、楽曲作成時に楽曲作成の操作の実感をより明確に得ることができる。
【００９４】
また、第１実施形態では、上記のように、メイン制御部１８を、ユーザによって回転入力装置２００の回転板３１が回転操作されることに基づいて、音の高さ、音の長さ、音量およびテンポ（楽曲の速さ）の程度を選択するとともに、ユーザによって回転板３１が押下操作されることによって、押下操作された際の回転板３１の回転角度に基づいて、楽曲を構成する音の高さ、音の長さ、音量およびテンポの程度を決定する制御を行うように構成することによって、ユーザは、回転操作に基づく回転角度と押下操作とにより、楽曲を構成する音の高さ、音の長さ、音量およびテンポを調整することができる。これにより、ユーザの回転操作と押下操作に基づいて、楽曲作成の操作の実感を得ながら調整された音の高さ、音の長さ、音量およびテンポに基づいた楽曲を作成することができる。また、ユーザは、回転板３１を操作するだけで楽曲作成の操作の実感を得ながら楽曲を作成することができるので、キーボードなどの楽器操作に不慣れなユーザであっても容易に楽曲を作成することができる。
【００９５】
また、第１実施形態では、上記のように、メイン制御部１８を、楽曲を作成するモードが音の高さ調整モードである場合には、ユーザによって長押しの押下操作が行われることにより楽曲を作成するモードを音の長さ調整モードに移行し、ユーザによってダブルクリックが行われることにより楽曲を作成するモードを音量調整モードに移行するように構成する。また、メイン制御部１８を、楽曲を作成するモードが音の長さ調整モードである場合には、ユーザによって長押しの押下操作が行われることにより楽曲を作成するモードを音量調整モードに移行し、ユーザによってダブルクリックが行われることにより楽曲を作成するモードを音の高さ調整モードに移行するように構成する。また、メイン制御部１８を、楽曲を作成するモードが音量調整モードである場合には、ユーザによって長押しの押下操作が行われることにより楽曲を作成するモードを音の高さ調整モードに移行し、ユーザによってダブルクリックが行われることにより楽曲を作成するモードを音の長さ調整モードに移行するように構成することによって、ユーザは、回転板３１を長押しするまたはダブルクリックすることによって、程度が選択および決定される音の高さ、音の長さまたは音量を容易に選択的に切り替えることができるので、程度が選択および決定される音の高さ、音の長さおよび音量を切り替えるための操作を行う際に他のキー（入力キー部１３および表示部側操作キー部１６）などを操作する必要がない。これにより、ユーザは程度が選択および決定される音の高さ、音の長さまたは音量を選択的に切り替えるための操作を簡素化することができる。また、ユーザは、回転板３１を長押しすることとダブルクリックすることとによって切り替え後の内容（切り替え先）を異ならせることができるので、より容易に、ユーザは程度が選択および決定される音の高さ、音の長さまたは音量を選択的に切り替えることができる。
【００９６】
（第２実施形態）
次に、図１、図３、図７、図１８および図３１を参照して、本発明の第２実施形態による携帯電話機４００について説明する。この第２実施形態では、第１実施形態と異なり、楽曲作成時に、楽曲を構成する音の高さと音の長さとを同時に選択および決定する例について説明する。
【００９７】
まず、図１および図３を参照して、本発明の第２実施形態における携帯電話機４００の構成について説明する。
【００９８】
図３に示すように、第２実施形態による携帯電話機４００のメイン制御部１８は、フラッシュＲＯＭ１９に記憶されている楽曲作成用プログラムに基づいて、楽曲を作成可能なように構成されている。具体的には、メイン制御部１８には、楽曲を構成する音量および楽曲の速さ（テンポ）がそれぞれ調整される音量調整モードおよびテンポ調整モードと、異なる楽曲を合成して新たな楽曲を作成する曲合成モードとが設定されている。さらに、メイン制御部１８には、音の高さと音の長さとが同時に調整される音の高さおよび音の長さ調整モードが設定されている。
【００９９】
また、操作本体部３００の感圧センサ３３ａは、ユーザによる回転板３１（図１参照）の押下操作と、押下操作された際の押下の強度とを検出することが可能なように構成されている。
【０１００】
また、第２実施形態では、メイン制御部１８は、音の高さおよび音の長さモードにおいて、ユーザによって回転入力装置２００の回転板３１が回転操作されることによる静電型エンコーダ３７が検出した回転板３１の状態に基づいて、音の高さの程度を選択するように構成されている。さらに、メイン制御部１８は、ユーザによって回転板３１が押下操作されることによって、押下操作された際の回転板３１の回転角度に基づいて、楽曲を構成する音の高さの程度を決定するとともに、押下操作された際の回転板３１の押下の強度に基づいて、楽曲を構成する音の長さの程度を選択および決定する制御を行うように構成されている。なお、第２実施形態の携帯電話機４００のその他の構成は、上記第１実施形態と同様である。
【０１０１】
次に、図１、図３、図７、図１８および図３１を参照して、本発明の第２実施形態における携帯電話機４００を用いて楽曲を作成する際の制御フローについて説明する。
【０１０２】
なお、携帯電話機４００の楽曲作成時において、回転板３１（図１参照）が回転操作された際には、ユーザに触感を付与するために、制御部２１（図３参照）によって、第１回転角度領域Ｃ（図７参照）において励磁コイル３９（図３参照）が通電され、第２回転角度領域Ｄ（図７参照）において励磁コイル３９が通電されない制御が行われる。
【０１０３】
まず、ユーザにより図１に示す携帯電話機４００のメニューキー１６ａが押下されることにより、メイン制御部１８（図３参照）によって、図示しないメニュー画面が表示画面部１５に表示される。そして、ユーザにより入力キー部１３、表示部側操作キー部１６および回転入力装置２００が操作されることにより、メイン制御部１８によって、フラッシュＲＯＭ１９（図３参照）に記憶されている楽曲作成用プログラムが起動される。これにより、携帯電話機４００における楽曲作成の制御がメイン制御部１８において行われる。
【０１０４】
まず、図３１に示すように、ステップＳ２０１において、メイン制御部１８によって、楽曲作成のモードが音の高さおよび音の長さ調整モードに切り替えられる。そして、ステップＳ２０２において、メイン制御部１８によって、ユーザにより回転板３１がダブルクリックされたか否かが判断される。ステップＳ２０２において、回転板３１がダブルクリックされたと判断された場合には、楽曲作成のモードが音量調整モードに移行したと判断されて図１８に示すステップＳ４１に進む。また、ステップＳ２０２において、回転板３１がダブルクリックされていないと判断された場合には、音の高さおよび音の長さ調整モードが維持されてステップＳ２０３に進む。
【０１０５】
次に、ステップＳ２０３において、メイン制御部１８によって、ユーザにより回転板３１が回転されたか否かが判断される。ステップＳ２０３において、回転板３１が回転されていないと判断された場合には、ステップＳ２０５に進む。また、ステップＳ２０３において、回転板３１が回転されたと判断された場合には、ステップＳ２０４に進み、回転板３１の回転角度に基づいて、音の高さが選択された音符が表示画面部１５に表示される。そして、ステップＳ２０５に進む。
【０１０６】
そして、ステップＳ２０５では、メイン制御部１８によって、ユーザにより回転板３１が押下されたか否かが判断される。ステップＳ２０５において、回転板３１が押下されていないと判断された場合には、ステップＳ２０３に戻る。また、ステップＳ２０５において、回転板３１が押下されたと判断された場合には、ステップＳ２０６に進む。
【０１０７】
ステップＳ２０６では、メイン制御部１８によって、ユーザにより回転板３１が回転されながら押下されたか否かが判断される。ステップＳ２０６において、回転板３１が回転されながら押下されたと判断された場合には、ステップＳ２０７において、押下された際の回転板３１の回転角度に基づいて、音符の音の高さが決定されるとともに、押下された際の回転板３１へのユーザによる押下の強度に基づいて、音符の音の長さが選択および決定される。そして、ステップＳ２０９に進む。また、ステップＳ２０６において、回転板３１が回転されない状態で押下されたと判断された場合には、ステップＳ２０８において、休符に決定されるとともに、押下された際の回転板３１へのユーザによる押下の強度に基づいて、休符の音の長さが選択および決定されて表示画面部１５に表示される。そして、ステップＳ２０９に進む。
【０１０８】
ステップＳ２０９では、メイン制御部１８によって、ユーザにより回転板３１が２秒以上の間押下され続けたか否かが判断される。ステップＳ２０９において、回転板３１が２秒以上の間押下され続けていないと判断された場合には、ステップＳ２０２に戻り、音量調整モードへの移行または音の高さおよび音の長さ調整モードにおける新たな音符の音の高さおよび音の長さの調整が行われる。また、ステップＳ２０９において、回転板３１が２秒以上の間押下され続けたと判断された場合には、ステップＳ２１０において、作成された楽曲がフラッシュＲＯＭ１９に保存される。そして、メイン制御部１８による楽曲作成が終了される。なお、第２実施形態の携帯電話機４００のその他の楽曲を作成する際の制御フローは、図１８におけるステップＳ４５が不要であることを除いて、上記第１実施形態と同様である。なお、第２実施形態の携帯電話機４００を用いてすでに作曲された楽曲を編曲する際の制御フローは、上記第１実施形態と同様である。
【０１０９】
第２実施形態では、上記のように、メイン制御部１８を、音の高さおよび音の長さモードにおいて、ユーザによって回転入力装置２００の回転板３１が回転操作されることに基づいて、音の高さの程度を選択するとともに、ユーザによって回転板３１が押下操作されることによって、押下操作された際の回転板３１の回転角度に基づいて、楽曲を構成する音の高さの程度を決定するとともに、押下操作された際の回転板３１の押下の強度に基づいて、楽曲を構成する音の長さの程度を選択および決定する制御を行うように構成することによって、ユーザは、１回の回転操作と押下操作とによって、楽曲を構成する音の高さと音の長さとを同時に調整することができる。これにより、１回の回転操作と押下操作によって音の高さまたは音の長さの一方のみが調整される場合と比べて、ユーザは迅速に音の高さおよび音の長さを調整することができる。なお、第２実施形態のその他の効果は、上記第１実施形態と同様である。
【０１１０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１１】
たとえば、上記第１および第２実施形態では、本発明の回転部材を有する「電子機器」として携帯電話機１００（４００）を示したが、本発明はこれに限られない。本発明は、回転部材を有する電子機器であれば、携帯電話機以外の携帯機器にも適用可能であるし、回転部材を有する据え置き型（設置型）の電子機器にも適用可能である。
【０１１２】
また、上記第１および第２実施形態では、メイン制御部１８を、テンポ調整モードにおいて、押下操作された際の回転板３１の回転角度に基づいて、選択された小節のテンポ（楽曲の速さ）を決定する制御を行うように構成した例を示したが、本発明はこれに限られない。本発明では、テンポ調整モードにおいて、回転操作されながら押下操作された際の回転部材の角速度に基づいて、選択された小節のテンポの程度が選択および決定されるように構成してもよい。この際、静電型エンコーダによって回転部材の角速度を検出するように構成することが可能である。これにより、回転部材の回転速度と楽曲の速さとを対応させることが可能になるので、より感覚的に楽曲の速さの程度をユーザに選択させることが可能である。
【０１１３】
また、上記第１および第２実施形態では、楽曲作成において作成された楽曲を編曲時に合成した例を示したが、本発明はこれに限られない。本発明では、楽曲を構成する１小節ごとに音の高さ、音の長さおよび音量を調整する手順を複数回繰り返して複数の１小節を作成した後に、作成した複数の１小節を合成して、同じタイミングで演奏させることが可能な和音からなる音符を複数含む新たな１小節を作成するように構成してもよい。また、１つの音符ごとに音の高さ、音の長さおよび音量を調整する手順を複数回繰り返して複数の音符を作成した後に、作成した複数の音符を合成して、和音からなる音符を作成するように構成してもよい。
【０１１４】
また、上記第１および第２実施形態では、ユーザに触感を付与する回転角度の間隔と、音の高さ、音の長さ、音量および楽曲の速さの程度が変化する回転角度の間隔とに関係性を付与しない例を示したが、本発明はこれに限られない。本発明では、ユーザに触感を付与する回転角度の間隔と、音の高さ、音の長さ、音量および楽曲の速さの程度が変化する回転角度の間隔とを関連付けることによって、ユーザに触感を付与するタイミングと、音の高さ、音の長さ、音量および楽曲の速さの程度が変化するタイミングとを同期させるように構成してもよい。これにより、ユーザによる楽曲作成時に、ユーザに楽曲作成の操作の実感をより明確に与えることが可能である。
【０１１５】
また、上記第１および第２実施形態では、回転板３１に鉄を用いるとともに、励磁コイル３９に通電して電磁力を発生させることによって、ユーザに触感を与えるように構成した例を示したが、本発明はこれに限られない。本発明では、回転部材の材質は鉄に限られず、ニッケル鉄合金などの磁性材料であればよい。また、ユーザに触感を与えるように構成されていれば、回転部材が磁性材料でなくてもよいし、励磁コイルを用いなくてもよい。たとえば、圧電素子を用いて、ユーザに触感を与えるように構成してもよい。
【０１１６】
また、上記第１および第２実施形態では、回転板３１の回転方向に抗する抵抗力を付与したり解除したりすることによって、回転操作を行うユーザに触感を付与するように構成した例を示したが、本発明はこれに限られない。本発明では、回転部材の押下操作に基づいて励磁コイルに通電して電磁力を発生させることにより、ユーザの押下に対応して回転部材を押下方向に移動させることによって、押下操作を行うユーザに触感を付与するように構成してもよい。これにより、ユーザによる楽曲作成時に、ユーザに楽曲作成の操作の実感をより明確に与えることが可能である。
【０１１７】
また、上記第１および第２実施形態では、回転入力装置２００の制御部２１によって、ユーザの回転板３１の回転操作に基づいてユーザに触感を付与するとともに、メイン制御部１８によって、ユーザによる楽曲を作成可能なように構成した例を示したが、本発明はこれに限られない。本発明では、制御部およびメイン制御部を１つの制御部に統合してもよい。
【０１１８】
また、上記第１および第２実施形態では、メイン制御部１８を、ユーザによって回転板３１が１秒以上２秒未満の間押下され続ける操作（長押しの押下操作）またはダブルクリックされる操作が行われることによって、楽曲を作成するモードを現在選択されているモードから新たなモードに切り替えるように構成した例を示したが、本発明はこれに限られない。たとえば、別途モード切替ボタンを設けて、モード切替ボタンの押下操作に基づいて、楽曲を作成するモードを現在選択されているモードから新たなモードに切り替えるように構成してもよい。
【０１１９】
また、上記第１および第２実施形態では、回転板３１が連続的な２回の押下操作であるダブルクリックされることによって、楽曲を作成するモードを現在選択されているモードから新たなモードに切り替えるように構成した例を示したが、本発明はこれに限られない。本発明では、回転部材を連続して３回以上押下する操作を行うことによって、楽曲を作成するモードを現在選択されているモードから新たなモードに切り替えるように構成してもよい。
【０１２０】
また、上記第１実施形態では、回転板３１が１秒以上２秒未満の間押下され続ける押下操作（長押しの押下操作）が行われることによって、楽曲を作成するモードを現在選択されているモードから新たなモードに切り替えるとともに、回転板３１が２秒以上の間押下され続けることによって、作成された楽曲をフラッシュＲＯＭ１９に記憶するように構成した例を示したが、本発明はこれに限られない。たとえば、回転部材が一定速度で回転された場合に作成された楽曲を記憶するように構成することによって、回転部材が２秒以上の間押下され続けた場合であっても、楽曲を作成するモードを現在選択されているモードから新たなモードに切り替えるように構成してもよい。
【０１２１】
また、上記第１実施形態では、メイン制御部１８を、楽曲を作成するモードが音の高さ調整モードである場合には、ユーザによって長押しの押下操作が行われることにより楽曲を作成するモードを音の長さ調整モードに移行し、ユーザによってダブルクリックが行われることにより楽曲を作成するモードを音量調整モードに移行するように構成した例を示したが、本発明はこれに限られない。本発明では、制御手段を、ユーザによって長押しの押下操作が行われることにより楽曲を作成するモードを音量調整モードに移行し、ユーザによってダブルクリックが行われることにより楽曲を作成するモードを音の長さ調整モードに移行するように構成してもよい。
【０１２２】
また、上記第１実施形態では、メイン制御部１８を、楽曲を作成するモードが音の長さ調整モードである場合には、ユーザによって長押しの押下操作が行われることにより楽曲を作成するモードを音量調整モードに移行し、ユーザによってダブルクリックが行われることにより楽曲を作成するモードを音の高さ調整モードに移行するように構成した例を示したが、本発明はこれに限られない。本発明では、制御手段を、ユーザによって長押しの押下操作が行われることにより楽曲を作成するモードを音の高さ調整モードに移行し、ユーザによってダブルクリックが行われることにより楽曲を作成するモードを音量調整モードに移行するように構成してもよい。
【０１２３】
また、上記第１実施形態では、メイン制御部１８を、楽曲を作成するモードが音量調整モードである場合には、ユーザによって長押しの押下操作が行われることにより楽曲を作成するモードを音の高さ調整モードに移行し、ユーザによってダブルクリックが行われることにより楽曲を作成するモードを音の長さ調整モードに移行するように構成した例を示したが、本発明はこれに限られない。本発明では、制御手段を、ユーザによって長押しの押下操作が行われることにより楽曲を作成するモードを音の長さ調整モードに移行し、ユーザによってダブルクリックが行われることにより楽曲を作成するモードを音の高さ調整モードに移行するように構成してもよい。
【０１２４】
また、上記第２実施形態では、メイン制御部１８を、音の高さおよび音の長さモードにおいて、押下操作された際の回転板３１の回転角度に基づいて、楽曲を構成する音の高さを決定するとともに、押下操作された際の回転板３１の押下の強度に基づいて、楽曲を構成する音の長さを選択および決定する制御を行うように構成した例を示したが、本発明はこれに限られない。本発明では、制御手段を、押下操作された際の回転部材の回転角度に基づいて、楽曲を構成する音の長さを決定するとともに、押下操作された際の回転部材の押下の強度に基づいて、楽曲を構成する音の高さを選択および決定する制御を行うように構成してもよい。
【０１２５】
また、上記第１実施形態では、音の高さ調整モード、音の長さ調整モードおよび音量調整モードの順に楽曲を作成した例を示したが、本発明はこれに限られない。本発明では、音の長さ調整モードおよび音量調整モードの順番は特に限定されず、音の長さ調整モードにおいて音の長さの調整をする前に、音量調整モードにおいて音量の調整をしてもよい。
【符号の説明】
【０１２６】
１８  メイン制御部（制御手段、第２制御部）
２１  制御部（制御手段、第１制御部）
３１  回転板（回転部材）
３３ａ  感圧センサ（検出部、押下検出部）
３７  静電型エンコーダ（検出部、角度検出部）
３９  励磁コイル（触感付与部）
１００、４００  携帯電話機（電子機器、携帯機器）
２００  回転入力装置
【図１】
2011100021.tif 000003
【図２】
2011100021.tif 000004
【図３】
2011100021.tif 000005
【図４】
2011100021.tif 000006
【図５】
2011100021.tif 000007
【図６】
2011100021.tif 000008
【図７】
2011100021.tif 000009
【図８】
2011100021.tif 000010
【図９】
2011100021.tif 000011
【図１０】
2011100021.tif 000012
【図１１】
2011100021.tif 000013
【図１２】
2011100021.tif 000014
【図１３】
2011100021.tif 000015
【図１４】
2011100021.tif 000016
【図１５】
2011100021.tif 000017
【図１６】
2011100021.tif 000018
【図１７】
2011100021.tif 000019
【図１８】
2011100021.tif 000020
【図１９】
2011100021.tif 000021
【図２０】
2011100021.tif 000022
【図２１】
2011100021.tif 000023
【図２２】
2011100021.tif 000024
【図２３】
2011100021.tif 000025
【図２４】
2011100021.tif 000026
【図２５】
2011100021.tif 000027
【図２６】
2011100021.tif 000028
【図２７】
2011100021.tif 000029
【図２８】
2011100021.tif 000030
【図２９】
2011100021.tif 000031
【図３０】
2011100021.tif 000032
【図３１】
2011100021.tif 000033